(57)【要約】      （修正有）【課題】電子ペーパーを表示媒体に用いた販売促進媒体において，訴求効果をより高めることを目的とする【解決手段】販売促進媒体１は，商品の訴求力を高める画像の表示に用いる電子ペーパー１０と，電子ペーパー１０に表示させる画像を制御する制御装置１１を備え，電子ペーパー１０を立体的に成形したことを特徴としている。スウィングＰＯＰの形態をなしている販売促進媒体１は，電子ペーパー１０を搖動可能にするために，電子ペーパー１０を搖動可能に支持し，電子ペーパー１０と制御装置１１を連結するアーム部１２を備え，電子ペーパー１０と制御装置１１を電気的に接続する配線１２０をアーム部１２に内蔵している。【選択図】図１
2018132742.tif 000002
【特許請求の範囲】
【請求項１】
画像の表示に用いる電子ペーパーと，前記電子ペーパーに表示させる画像を制御する制御装置を備え，前記電子ペーパーを立体的に成形したことを特徴とする販売促進媒体。
【請求項２】
前記電子ペーパーを搖動可能に支持し，前記電子ペーパーと前記制御装置を連結するアーム部を備え，前記電子ペーパーと前記制御装置を電気的に接続する配線を前記アーム部に内蔵したことを特徴とする，請求項１に記載した販売促進媒体。
【請求項３】
テスターを置くためのテスター載置部を前記制御装置に設けたことを特徴とする，請求項１に記載した販売促進媒体。
【発明の詳細な説明】
【技術分野】
【０００１】
本発明は，店舗で使用される販売促進媒体の表示媒体に電子ペーパーを用いた発明である。
【背景技術】
【０００２】
店舗で使用される販売促進媒体の訴求効果を高める様々な試みが以前よりなされている。近年，低消費電力で画像を表示できる電子ペーパーが開発されたことを受けて，販売促進媒体の訴求効果を高めるために，表示媒体に電子ペーパーを用いた電子ＰＯＰが提案されている（例えば，特許文献１）。
【先行技術文献】
【特許文献】
【０００３】
【特許文献１】特開２０１４−１１２１５９号公報
【発明の概要】
【発明が解決しようとする課題】
【０００４】
販売促進媒体の表示媒体に電子ペーパーを用いることで，販売促進媒体の認知率が向上し，販売促進媒体の訴求効果を高めることができるが，他の広告媒体との差別化を図るために，販売促進媒体の訴求効果をより高めることが望まれる。
【０００５】
そこで，本発明は，電子ペーパーを表示媒体に用いた販売促進媒体において，訴求効果をより高めることを目的とする。
【課題を解決するための手段】
【０００６】
上述した課題を解決する第１の発明は，画像の表示に用いる電子ペーパーと，前記電子ペーパーに表示させる画像を制御する制御装置を備え，前記電子ペーパーを立体的に成形したことを特徴とする販売促進媒体である。更に，第２の発明は，第１の発明に記載した販売促進媒体において，前記電子ペーパーを搖動可能に支持し，前記電子ペーパーと前記制御装置を連結するアーム部を備え，前記電子ペーパーと前記制御装置を電気的に接続する配線を前記アーム部に内蔵したことを特徴とする。更に，第３の発明は，第１の発明に記載した販売促進媒体において，テスターの載置するためのテスター載置部を前記制御装置に設けたことを特徴とする。
【発明の効果】
【０００７】
本発明に係る販売促進媒体は，電子ペーパーが立体的に成形しているので，電子ペーパーのアイキャッチ効果がより高まり，板状の電子ペーパーを表示媒体に用いる時よりも，販売促進媒体の訴求効果を高めることができる。
【図面の簡単な説明】
【０００８】
【図１】第１の実施形態に係る販売促進媒体を説明する図。
【図２】第１の実施形態に係る販売促進媒体が備える電子ペーパーを説明する図。
【図３】第１の実施形態に係る販売促進媒体が備える制御装置を説明する図。
【図４】第２の実施形態に係る販売促進媒体のブロック図。
【図５】本発明をテスター陳列台に適用した具体例を説明する第１図。
【図６】本発明をテスター陳列台に適用した具体例を説明する第２図。
【図７】本発明をテスター陳列台に適用した具体例を説明する第３図。
【発明を実施するための形態】
【０００９】
ここから，本発明の好適な実施形態を記載する。なお，以下の記載は本発明の技術的範囲を束縛するものでなく，理解を助けるために記述するものである。
【００１０】
（第１の実施形態）
第１の実施形態は，本発明をスウィングＰＯＰに適用した実施形態で，図１は，第１の実施形態に係る販売促進媒体１を説明する図である。
【００１１】
第１の実施形態に係る販売促進媒体１は，商品の訴求力を高める画像の表示に用いる電子ペーパー１０と，電子ペーパー１０に表示させる画像を制御する制御装置１１を備え，電子ペーパー１０を立体的に成形したことを特徴としている。また，第１の実施形態に係る販売促進媒体１は，電子ペーパー１０を搖動可能にするために，電子ペーパー１０を搖動可能に支持し，電子ペーパー１０と制御装置１１を連結するアーム部１２を備え，電子ペーパー１０と制御装置１１を電気的に接続する配線１２０をアーム部１２に内蔵している。
【００１２】
第１の実施形態において，電子ペーパー１０を立体的に成形しているのは，販売促進媒体１のアイキャッチ効果を高めるためである。スウィングＰＯＰのＰＯＰ部が板状の場合，ＰＯＰ部に印刷または表示された画像を視認できる方向はＰＯＰ部の正面に限定されるが，電子ペーパー１０を立体的に成形することで，正面以外の方向（例えば，左右）からも電子ペーパー１０に表示された画像を視認でき，スウィングＰＯＰのアイキャッチ効果は高まり，スウィングＰＯＰの訴求効果を高められる。
【００１３】
図２は，第１の実施形態に係る販売促進媒体１が備える電子ペーパー１０を説明する図である。第１の実施形態に係る販売促進媒体１が備える電子ペーパー１０は，無色かつ透明な透明基材１００１上に透明電極１０００を形成した表面基材層１００，ツイストボール方式の表示媒体層１０１，マトリクス状に配置された画素電極１０２０と画素電極１０２０のドライバ層１０２１を背面基材１０２２上に形成した背面基材層１０２を少なくとも積層した構成になっている。
【００１４】
第１の実施形態では，電子ペーパー１０の方式をツイストボール方式にしているが，電子ペーパー１０の方式はツイストボール方式以外の方式（例えば，電気泳動方式）でも構わない。ツイストボール方式の電子ペーパー１０の表示媒体層１０１には，半面ずつ異なる色（ここでは，白と黒）に塗り分けられた複数のツイストボール（双極性球状粒子）１０１０が低極性溶媒１０１１に封入され，異なる色に塗り分けられているツイストボール１０１０の半面毎に極性を変えて電荷を帯電させることで，表面になるツイストボール１０１１の色を透明電極１０００と画素電極１０２０間の印加電圧によって制御できる構成になっている。
【００１５】
電子ペーパー１０が有する表面基材層１００の透明電極１０００には，ＩＺＯ（Indium Zinc Oxide，酸化インジウム亜鉛）なども使用できるが，ＩＴＯ（Indium Tin Oxide，酸化インジウムスズ）を使用するのが一般的である。また，透明電極１０００を形成する透明基材１００１は，無色かつ透明で，かつ，可撓性のあるフレキシブル基材で，このようなフレキシブル基材としては，例えば，ポリエチレンテレフタレート（ＰＥＴ），ポリイミド（ＰＩ）などを使用できる。透明電極１０００を形成する透明基材１００１の厚みに関しては，立体的に形成された電子ペーパー１０の形状を保持できれば特に限定しないが，１０μｍ〜５００μｍの範囲が好適である。
【００１６】
電子ペーパー１０が有する背面基材層１０２の画素電極１０２０には，表面基材層１００の透明電極１０００と同様に，ＩＴＯ（Indium Tin Oxide，酸化インジウムスズ）を好適に使用できる。背面基材層１０２に形成するドライバ層１０２１は，画素電極１０２０に印加する電圧を制御するための回路が実装される層で，ドライバ層１０２１をフレキシブル化するために，有機ＴＦＴ素子１０２１ａを利用して，画素電極１０２０に印加する電圧を制御するための回路をドライバ層１０２１に実装するのが好適である。背面基材層１０２の背面基材１０２２としては，表面基材層１００の透明基材１００１と同様に，ポリエチレンテレフタレート（ＰＥＴ），ポリイミド（ＰＩ）などを使用でき，その厚みに関しては，１０μｍ〜５００μｍの範囲が好適である。なお，背面基材１０２２は透明である必要はないので，背面基材１０２２の裏側には，所定の印刷を施すことができる。
【００１７】
これまで説明した電子ペーパー１０を立体的に成形する手法は様々考えられる。板状の電子ペーパー１０を用意し，プレス機などで型押しすることで，電子ペーパー１０を所定の立体形状に成形できるが，所定の立体形状に成形した表面基材層１００と背面基材層１０２を用意し，立体的に成形した背面基材層１０２と表示媒体層１０１を貼り合せてから表面基材層１００を貼り合せることでも，電子ペーパー１０を立体的に成形できる。
【００１８】
電子ペーパー１０を成形する立体形状については，電子ペーパー１０が作動する限り任意でよいが，図１で図示した販売促進媒体１において，電子ペーパー１０の立体形状は半円弧状である。電子ペーパー１０の立体形状を半円弧状にすることで，販売促進媒体１が設置された場所に向かって歩く消費者に対して販売促進媒体１のアイキャッチ効果を高め，販売促進媒体１の訴求効果を向上させている。
【００１９】
図３は，第１の実施形態に係る販売促進媒体１が備える制御装置１１を説明する図である。第１の実施形態に係る販売促進媒体１が備える制御装置１１は，電子ペーパー１０に表示する画像を制御する制御部１１０を備え，制御部１１０に電力を供給する電池１１１を内蔵し，制御装置１１の固定に用いる部材（粘着材や磁石）が裏側に設けられる。
【００２０】
第１の実施形態において，制御装置１１の制御部１１０は，電子ペーパー１０に表示する画像やコンピュータプログラムを記憶する電気的に書き換え可能なメモリやＣＰＵなどを有するコンピュータ基板である。販売促進媒体１が備える制御装置１１の制御部１１０は，電子ペーパー１０の背面基材層１０２に設けられたドライバ層１０２１を利用して，電子ペーパー１０の画素電極１０２０に印加する電圧を画素電極１０２０毎に制御し，電子ペーパー１０の表示媒体層１０１に所定の画像を表示させる。なお，販売促進媒体１が備える電子ペーパー１０に表示させる画像は任意でよいが，電子ペーパー１０に動画を表示すると，電子ペーパー１０に静止画を表示するときよりも，販売促進媒体1のアイキャッチ効果をより高められる。
【００２１】
第１の実施形態に係る販売促進媒体1が備えるアーム部１２は，電子ペーパー１０を搖動可能に支持するための部材で，アーム部１２の内部には，電子ペーパー１０と制御装置１１を電気的に接続させるための配線１２０を内蔵している。電子ペーパー１０を搖動可能に支持するためには，電子ペーパー１０の自重を搖動可能に支持できる程度の剛性がアーム部１２に必要になる。本実施形態では，電子ペーパー１０の表面基材層１００の透明基材１００１と，電子ペーパー１０の背面基材層１０２の背面基材１０２２により，電子ペーパー１０と制御装置１１を電気的に接続させるための配線１２０を挟むことで，販売促進媒体１のアーム部１２を実現し，電子ペーパー１０からアーム部１２までを一括して成形できるようにしている。なお，第１の実施形態では，電子ペーパー１０の自重によって，風などがあたると，電子ペーパー１０が揺れる構造になっているため，スウィングＰＯＰと同様に，販売促進媒体１のアイキャッチ効果を高められる。
【００２２】
（第２の実施形態）
第２の実施形態は，本発明をテスター陳列台に適用した実施形態で，図４は，第２の実施形態に係る販売促進媒体２のブロック図である。
【００２３】
第２の実施形態に係る販売促進媒体２は，商品（ここでは，テスター３）の訴求力を高める画像の表示に用いる電子ペーパー２０と，電子ペーパー２０に表示させる画像を制御する制御装置２１を備える。第２の実施形態に係る販売促進媒体２の電子ペーパー２０は，テスター３に対応する商品のイメージに合わせて立体的に成形され，第２の実施形態に係る販売促進媒体２の制御装置２１は，第１の実施形態と同様に，電子ペーパー２０に表示する画像を制御する制御部２１０と電池２１１に加え，テスター３を置くためのテスター載置部２１２を備える。
【００２４】
第２の実施形態に係る販売促進媒体２が備える電子ペーパー２０および制御部２１０は，第１の実施形態と同じであるため，ここでは説明を省き，本発明をテスター陳列台に適用した具体例についてのみ説明する。
【００２５】
図５は，本発明をテスター陳列台に適用した具体例を説明する第１図，図６は，本発明をテスター陳列台に適用した具体例を説明する第２図，そして，図７は，本発明をテスター陳列台に適用した具体例を説明する第３図である。
【００２６】
第１の実施形態に係る販売促進媒体１では，電子ペーパー１０と制御装置１１をアーム部１２で連結していたが，図５で図示した販売促進媒体２ａでは，電子ペーパー２０ａと制御装置２１ａが一体化した構成になっている。図５で図示した販売促進媒体２ａでは，販売促進媒体２ａの制御装置２１ａはテスター陳列台の台座になっており，テスター載置部２１２として機能する孔２１２ａが制御装置２１ａの上面に設けられている。図５で図示した販売促進媒体２ａにおいて，電子ペーパー２０ａは，テスター陳列台の表示パネルになっており，販売促進媒体２ａのアイキャッチ効果を高めるために波状に成形されている。
【００２７】
図５で図示した販売促進媒体２ａでは，電子ペーパー２0ａを波状に成形していたが，図６で図示した販売促進媒体２ｂでは，販売促進媒体２ｂのアイキャッチ効果を高めるために電子ペーパー２０ｂを亀甲状に成形している。図６で図示した販売促進媒体２ｂにおいて，電子ペーパー２０ｂと制御装置２１ｂが一体化した構成になっており，テスター載置部２１２として機能する孔２１２ｂが制御装置２１ｂの上面に設けられている。
【００２８】
図５で図示した販売促進媒体２ａでは，電子ペーパー２０ａの数は一つであったが，図７で図示した販売促進媒体２ｃは，箱状に成形された複数の電子ペーパー２０ｃを備え，販売促進媒体２ｃの制御装置２１ｃは，箱状に成形された複数の電子ペーパー２０ｃに表示させる画像を制御する。図７で図示した販売促進媒体２ｃにおいて，電子ペーパー２０ｃと制御装置２１ｃが一体化した構成になっており，テスター載置部２１２として機能する孔２１２ｃが制御装置２１ｃの上面に設けられている。
【００２９】
このように，本発明をテスター陳列台に適用した第２の実施形態において，テスター陳列台の表示部となる電子ペーパー２０を立体的に成形することで，テスター陳列台の表示部が板状の場合のときよりも，テスター陳列台のアイキャッチ効果を向上させることができる。テスター陳列台の表示部が板状の場合，表示部に印刷または表示された画像を視認できる方向は表示部の正面に限定されるが，電子ペーパー２０を立体的に成形することで，正面以外の方向（例えば，左右）からも電子ペーパー２０に表示された画像を視認でき，テスター陳列台のアイキャッチ効果は高まり，テスター陳列台の訴求効果を高められる。
【符号の説明】
【００３０】
１    販売促進媒体
１０  電子ペーパー
１００  表面基材層
１０００  透明電極
１００１  透明基材
１０１  表示媒体層
１０１０  ツイストボール
１０１１  低極性溶媒
１０２  背面基材層
１０２０  画素電極
１０２１  ドライバ層
１０２２  背面基材
１１  制御装置
１１０  制御部
２，２ａ，２ｂ，２ｃ  販売促進媒体
２０，２０ａ，２０ｂ，２０ｃ  電子ペーパー
２１，２１ａ，２１ｂ，２１ｃ  制御装置
２１０  制御部
２１２  テスター載置部
【図１】
2018132742.tif 000003
【図２】
2018132742.tif 000004
【図３】
2018132742.tif 000005
【図４】
2018132742.tif 000006
【図５】
2018132742.tif 000007
【図６】
2018132742.tif 000008
【図７】
2018132742.tif 000009